(57)【要約】  本発明は、ユーザー機器１０２に通信ネットワークへの無線アクセスを提供する無線アクセスネットワーク（ＲＡＮ）スライス１００に関する。ＲＡＮスライス１００は、ＲＡＮスライス識別子によって一意に識別される。ＲＡＮスライス１００は、ユーザー機器１０２にＲＡＮスライス１００へのアクセスを提供する基地局１０１と、ＲＡＮスライス１００を識別するＲＡＮスライス識別子をハンドリングするように構成されたアクセス及びモビリティ管理機能（ＡＭＦ）エンティティ１０３と、ＲＡＮスライス１００を介したユーザー機器１０２のデータ通信をハンドリングするように構成されたセッション管理機能（ＳＭＦ）エンティティ１０４とを備える。基地局１０１は、ＲＡＮスライス１００に接続するためにユーザー機器１０２を発信元とするアタッチ要求を受信し、このアタッチ要求がＲＡＮスライス識別子を含まない場合、ＲＡＮスライス１００へのアクセスを拒否するように構成される。本発明は、通信方法に更に関する。【選択図】図１
2021507635.tif 000002
【特許請求の範囲】
【請求項１】
ユーザー機器（１０２）に通信ネットワークへの無線アクセスを提供する無線アクセスネットワーク（ＲＡＮ）スライス（１００）であって、該ＲＡＮスライスは、ＲＡＮスライス識別子によって一意に識別され、
前記ユーザー機器（１０２）に該ＲＡＮスライス（１００）へのアクセスを提供する基地局（１０１）と、
該ＲＡＮスライスを識別する前記ＲＡＮスライス識別子をハンドリングするように構成されたアクセス及びモビリティ管理機能（ＡＭＦ）エンティティ（１０３）と、
該ＲＡＮスライスを介した前記ユーザー機器のデータ通信をハンドリングするように構成されたセッション管理機能（ＳＭＦ）エンティティ（１０５）と、
を備え、
前記基地局（１０１）は、該ＲＡＮスライス（１００）に接続するための、前記ユーザー機器（１０２）を発信元とするアタッチ要求を受信し、該アタッチ要求が前記ＲＡＮスライス識別子を含まない場合、該ＲＡＮスライス（１００）へのアクセスを拒否するように構成される、ＲＡＮスライス。
【請求項２】
請求項１に記載のＲＡＮスライス（１００）であって、前記基地局（１０１）は、前記アタッチ要求が前記ＲＡＮスライス識別子を含む場合、前記ユーザー機器（１０２）に対して前記ＲＡＮスライス（１００）へのアクセスを許可するように構成される、ＲＡＮスライス。
【請求項３】
請求項１又は２に記載のＲＡＮスライス（１００）であって、前記アタッチ要求は、送信スライス識別子を含み、基地局（１０１）は、前記送信スライス識別子が前記ＲＡＮスライス識別子に対応するか否かを特定するために、前記送信スライス識別子を前記ＲＡＮスライス識別子と比較するように構成され、前記基地局（１０１）は、前記送信識別子が前記ＲＡＮスライス識別子とは異なる場合、前記ＲＡＮスライスへのアクセスを拒否するように構成される、ＲＡＮスライス。
【請求項４】
請求項１乃至３のいずれか１項に記載のＲＡＮスライス（１００）であって、前記コネクション要求は、送信スライス識別子を含み、基地局（１０１）は、前記送信スライス識別子又は前記アタッチ要求を、前記ＡＭＦエンティティに向けて転送するように構成され、前記ＡＭＦエンティティ（１０３）は、前記送信スライス識別子が前記ＲＡＮスライス識別子に対応するか否かを特定するために、前記送信スライス識別子を前記ＲＡＮスライス識別子と比較するように構成され、前記ＡＭＦエンティティ（１０３）は、前記送信識別子が前記ＲＡＮスライス識別子とは異なる場合、前記基地局（１０１）に向けて拒否信号を送信するように構成され、前記基地局（１０１）は、前記拒否信号に応答して前記ユーザー機器（１０２）による前記ＲＡＮスライス（１００）へのアクセス要求を拒否するように構成される、ＲＡＮスライス。
【請求項５】
請求項１乃至４のいずれか１項に記載のＲＡＮスライス（１００）であって、前記基地局（１０１）は、前記ＲＡＮスライス（１００）のみへのアクセスを提供するように構成される、ＲＡＮスライス。
【請求項６】
請求項１乃至５のいずれか１項に記載のＲＡＮスライス（１００）であって、前記アタッチ要求は、前記ＲＡＮ識別子と、前記ユーザー機器（１０２）についてのターゲットスライスを識別するターゲットネットワークスライス識別子とを含み、前記基地局（１０１）は、前記ユーザー機器（１０２）に対して前記ＲＡＮスライス（１００）へのアクセスを許可するように構成され、前記基地局（１０１）は、前記ターゲットネットワークスライス識別子を有する前記アタッチ要求を、前記ＡＭＦエンティティ（１０３）に向けて転送するように構成され、前記ＡＭＦエンティティ（１０３）は、前記ターゲットネットワークスライスに向けた前記ユーザー機器（１０２）の通信の転送を管理するように構成される、ＲＡＮスライス。
【請求項７】
請求項１乃至６のいずれか１項に記載のＲＡＮスライス（１００）であって、前記ＲＡＮスライス（１００）から通信ネットワーク、特にターゲットネットワークスライスに向けられた前記ユーザー機器（１０２）の通信をルーティングするように構成されたルーターを更に備える、ＲＡＮスライス。
【請求項８】
請求項１乃至７のいずれか１項に記載のＲＡＮスライス（１００）であって、前記基地局（１０１）は、前記アタッチ要求が別のネットワーク識別子を含む場合、該アタッチ要求を、該別のネットワーク識別子によって識別される別の通信ネットワークの別の基地局に向けて転送するように構成される、ＲＡＮスライス。
【請求項９】
請求項１乃至８のいずれか１項に記載のＲＡＮスライス（１００）であって、前記基地局（１０１）は、前記アタッチ要求を、前記ユーザー機器（１０２）から、又は、該アタッチ要求を受信した別の基地局（１０６）から受信するように構成される、ＲＡＮスライス。
【請求項１０】
請求項１乃至９のいずれか１項に記載のＲＡＮスライス（１００）であって、前記基地局（１０１）は、該ＲＡＮスライス（１００）の通信容量を示すＲＡＮスライスコネクティビティパラメーター、特に、周波数帯域、アクセス通信技術を送信するように構成される、ＲＡＮスライス。
【請求項１１】
請求項１乃至１０のいずれか１項に記載のＲＡＮスライス（１００）であって、前記基地局（１０１）及び／又は前記ＡＭＦエンティティ（１０３）は、前記ＲＡＮスライス（１００）を介した前記ユーザー機器（１０２）の通信のための通信リソース、特に、通信帯域幅、信号処理リソース及びメモリを提供するように構成される、ＲＡＮスライス。
【請求項１２】
請求項１乃至１１のいずれか１項に記載のＲＡＮスライス（１００）であって、前記アタッチ要求は、ユーザー優先度インジケーションを更に含み、該ユーザー優先度インジケーションは、前記ユーザー機器（１０２）に割り当てられた通信リソースを示し、前記基地局（１０１）及び／又は前記ＡＭＦ（１０３）は、前記ユーザー優先度インジケーションに従って、通信のための前記ＲＡＮスライス（１００）の通信リソース、特に、通信帯域幅、信号処理リソース及びメモリを割り当てるように構成される、ＲＡＮスライス。
【請求項１３】
請求項１乃至１２のいずれか１項に記載のＲＡＮスライス（１００）であって、前記アタッチ要求は、ユーザー機器識別情報、特にＩＭＩＳＩを更に含み、前記ＡＭＦ（１０３）及び／又は前記基地局（１０１）は、前記ユーザー機器識別情報に割り当てられた通信のための通信リソース、特に、通信帯域幅、信号処理リソース及びメモリを割り当てるように構成される、ＲＡＮスライス。
【請求項１４】
請求項１２又は１３に記載のＲＡＮスライス（１００）であって、前記基地局（１０１）及び／又は前記ＡＭＦ（１０３）は、前記ＲＡＮスライス（１００）の外部に配置された共有データバンクに前記通信リソースの送信を要求するように構成される、ＲＡＮスライス。
【請求項１５】
無線アクセスネットワーク（ＲＡＮ）スライス（１００）を用いてユーザー機器（１０２）に通信ネットワークへの無線アクセスを提供する通信方法であって、前記ＲＡＮスライス（１００）は、ＲＡＮスライス識別子によって一意に識別され、前記ユーザー機器（１０２）に前記ＲＡＮスライス（１００）へのアクセスを提供する基地局（１０１）と、前記ＲＡＮスライス（１００）を識別する前記ＲＡＮスライス識別子をハンドリングするように構成されたアクセス及びモビリティ管理機能（ＡＭＦ）エンティティ（１０３）と、前記ＲＡＮスライス（１００）を介した前記ユーザー機器（１０２）のデータ通信をハンドリングするように構成されたセッション管理機能（ＳＭＦ）エンティティ（１０５）とを備え、該通信方法は、
前記ＲＡＮスライス（１００）に接続するための、前記ユーザー機器（１０２）からのアタッチ要求を受信することと、
前記アタッチ要求が前記ＲＡＮスライス識別子を含まない場合、前記基地局（１０１）によって、前記ＲＡＮスライス（１００）へのアクセスを拒否することと、
を含む、通信方法。
【発明の詳細な説明】
【技術分野】
【０００１】
本発明は、ユーザー機器に通信ネットワークへの無線アクセスを提供する無線アクセスネットワークスライス、及び通信方法に関する。
【背景技術】
【０００２】
移動電話等のユーザー機器の移動通信ネットワークへのアクセスは、無線アクセスネットワーク（ＲＡＮ：radio access network）を介して実行され、ＲＡＮは、基地局、特に５ＧネットワークのｇＮｏｄｅＢと、機能エンティティ、例えばアクセス及びモビリティ管理機能（ＡＭＦ：access and mobility management function）エンティティ及びセッション管理機能（ＳＭＦ：session management function）エンティティとを備える。通信ネットワークに接続するための要求を受信するＲＡＮは、ユーザー機器に通信コネクションを提供する役割を担う。
【０００３】
異なるＲＡＮは、推定リソース要件に応じて異なる量の通信リソースを含み得る。それにもかかわらず、このような推定値は、常に適合するわけではなく、何らかのユーザー機器は、通信ネットワークコネクションに接続するやむを得ない必要性、例えば緊急電話の必要性を有し得る。
【発明の概要】
【発明が解決しようとする課題】
【０００４】
本発明の目的は、通信ネットワークへの無線アクセスを提供するための改善された概念を提示することである。
【課題を解決するための手段】
【０００５】
この目的は、独立請求項の特徴部によって達成される。更なる実施態様の形式は、従属請求項、説明及び図面から明らかである。
【０００６】
第１の態様によれば、この目的は、ユーザー機器に通信ネットワークへの無線アクセスを提供する無線アクセスネットワーク（ＲＡＮ）スライスによって解決される。ＲＡＮスライスは、ＲＡＮスライス識別子によって一意に識別される。ＲＡＮスライスは、ユーザー機器にＲＡＮスライスへのアクセスを提供する基地局と、ＲＡＮスライスを識別するＲＡＮスライス識別子をハンドリングするように構成されたアクセス及びモビリティ管理機能（ＡＭＦ）エンティティと、ＲＡＮスライスを介したユーザー機器のデータ通信をハンドリングするように構成されたセッション管理機能（ＳＭＦ）エンティティとを備える。基地局は、ＲＡＮスライスに接続するための、ユーザー機器を発信元とするアタッチ要求を受信し、このアタッチ要求がＲＡＮスライス識別子を含まない場合、ＲＡＮスライスへのアクセスを拒否するように構成される。
【０００７】
ＲＡＮスライスは、通信ネットワークのサブネットワークとすることができる。ＲＡＮスライスは、基地局、特にｇＮｏｄｅＢと、ＡＭＦ及びＳＭＦとを備える。ＲＡＮスライスは、ユーザープレーン機能（ＵＰＦ：user plane function）のような、通信ネットワーク、特に５Ｇネットワークの更なる機能エンティティを備えることができる。
【０００８】
ユーザー機器は、コンピューターシステム、特に、移動電話、スマートフォン、タブレットコンピューター、ラップトップコンピューター等とすることができる。ユーザー機器は、モノのインターネット（ＩｏＴ：Internet of Things）デバイス、特にセンサーとすることもできる。
【０００９】
ＲＡＮスライス識別子は、ＲＡＮスライスに一義的に割り当てることができる一意コードを含むことができる。ＲＡＮスライス識別子は、ＲＡＮスライスを識別する。
【００１０】
ＡＭＦエンティティは、ＲＡＮスライス識別子をハンドリングするように構成される。ＡＭＦエンティティは、ＲＡＮ制御プレーンインターフェースの終端、モビリティ管理、アクセス認証、アクセス認可等のような１つ以上の機能を更にハンドリングすることができる。
【００１１】
ＳＭＦエンティティは、ＲＡＮスライスを介したユーザー機器のデータ通信をハンドリングするように構成される。ＳＭＦは、ローミング機能、セッション管理、ユーザープレーン機能（ＵＰＦ）エンティティの選択及び制御等を１つのみ又は組み合わせてハンドリングするように更に構成することができる。
【００１２】
ユーザー機器は、通信ネットワークへのアクセスを要求するために、通信ネットワーク、すなわち基地局に向けてアタッチ要求信号を送信するように構成される。基地局は、ＡＭＦエンティティにアタッチ要求をハンドオーバーすることができる。ＲＡＮスライスは、優先ユーザー機器のために予約されるＲＡＮスライスとすることができ、したがって、優先ＲＡＮスライスとすることができる。
【００１３】
一実施形態では、基地局は、アタッチ要求がＲＡＮスライス識別子を含む場合、ユーザー機器に対してＲＡＮスライスへのアクセスを許可するように構成される。
【００１４】
ユーザー機器は、優先ユーザー機器として登録することができ、したがって、そのＲＡＮスライスに関係付けられたＲＡＮスライス識別子を含むことができる。
【００１５】
一実施形態では、アタッチ要求は、送信スライス識別子を含む。基地局は、送信スライス識別子がＲＡＮスライス識別子に対応するか否かを特定するために、送信スライス識別子をＲＡＮスライス識別子と比較するように構成される。基地局は、送信識別子がＲＡＮスライス識別子とは異なる場合、ＲＡＮスライスへのアクセスを拒否するように構成される。
【００１６】
ユーザー機器は、所定のＲＡＮスライスを選択するためにスライス識別子を有することができ、アタッチ要求内のこのスライス識別子を送信する。スライス識別子は、ユーザー機器に対して、優先ＲＡＮスライスへのアクセスを許可するために、ユーザー機器にハンドオーバーされている場合がある。
【００１７】
一実施形態では、コネクション要求は、送信スライス識別子を含む。基地局は、送信スライス識別子又はアタッチ要求をＡＭＦエンティティに向けて転送するように構成される。ＡＭＦエンティティは、送信スライス識別子がＲＡＮスライス識別子に対応するか否かを特定するために、送信スライス識別子をＲＡＮスライス識別子と比較するように構成される。ＡＭＦエンティティは、送信識別子がＲＡＮスライス識別子とは異なる場合、基地局に向けて拒否信号を送信するように構成される。基地局は、拒否信号に応答して、ユーザー機器によるＲＡＮスライスへのアクセス要求を拒否するように構成される。
【００１８】
基地局は、ＲＡＮスライスへのアクセスを許可する判断をＡＭＦエンティティにハンドオーバーする。これは、基地局のリソースが解放されるので、有利であり得る。
【００１９】
一実施形態では、基地局は、ＲＡＮスライスのみへのアクセスを提供するように構成される。
【００２０】
一般に、基地局は、複数のアクセス要求をハンドリングするとともに、複数のＲＡＮスライスへのアクセスを提供することができる。１つのＲＡＮスライスのみへのアクセスを提供するために基地局を予約することによって、有利に基地局のリソースを用いることができ、したがって、優先ユーザー機器のための使用が更に高まる。
【００２１】
一実施形態では、アタッチ要求は、ＲＡＮ識別子と、ユーザー機器についてのターゲットスライスを識別するターゲットネットワークスライス識別子とを含む。基地局は、ユーザー機器に対してＲＡＮスライスへのアクセスを許可するように構成される。基地局は、ターゲットネットワークスライス識別子を有するアタッチ要求を、ＡＭＦエンティティに向けて転送するように構成される。ＡＭＦエンティティは、ターゲットネットワークスライスに向けたユーザー機器の通信の転送を管理するように構成される。
【００２２】
基地局及びＡＭＦに対するアクセス及び割り当て機能の機能上の分割は、エンティティの各々のリソースを節約する。
【００２３】
一実施形態では、ＲＡＮスライスは、ＲＡＮスライスから通信ネットワーク、特にターゲットネットワークスライスに向けられたユーザー機器の通信をルーティングするように構成されたルーターを備える。
【００２４】
ユーザー機器の通信ネットワークに排他的に向けられた通信をルーティングするための、ＲＡＮスライスにおける専用ルーターは、ユーザー機器の利益を高め、特に、共通ネットワークコネクションに対して速度及び／又は可能な送信データレートを高める。
【００２５】
一実施形態では、基地局は、アタッチ要求が別のネットワーク識別子を含む場合、アタッチ要求を、当該別のネットワーク識別子によって識別される別の通信ネットワークの別の基地局に向けて転送するように構成される。
【００２６】
当該別の基地局は、一意ＲＡＮスライス識別子に関係付けられたネットワークコンテンツをハンドリングするために排他的に予約された、所定数の基地局の中の所定の１つの基地局とすることができる。
【００２７】
一実施形態では、基地局は、アタッチ要求を、ユーザー機器から、又は、アタッチ要求を受信した別の基地局から受信するように構成される。
【００２８】
ユーザー機器は、そのＲＡＮスライスに割り当てられた基地局に直接コンタクトすることもできるし、そのアタッチ要求がそのＲＡＮスライスのためのアタッチ要求であることを判断し、そのアタッチ要求を、そのＲＡＮスライスに関係付けられた基地局にハンドオーバーする別の基地局にコンタクトすることもできる。
【００２９】
一実施形態では、基地局は、ＲＡＮスライスの通信容量を示すＲＡＮスライスコネクティビティパラメーター、特に、周波数帯域、アクセス通信技術を送信するように構成される。
【００３０】
優先ＲＡＮスライスは、公衆陸上移動体ネットワーク（ＰＬＭＮ：public land mobile network）選択を実行するコネクティビティパラメーターを選ぶことができる。コネクティビティパラメーターは、端末からＲＡＮスライスへのコネクティビティ速度を高めるために所定のものとすることができる。さらに、送信ＲＡＮスライスコネクティビティパラメーターを選ぶことは、それぞれのコアネットワークへのコネクションも改善することができる。ＲＡＮスライスは、適切な周波数帯及びそれぞれの無線アクセス技術（ＲＡＴ：radio access technology）を求めて探索する必要がない。ブートストラップサーバーへのリンクコネクションの場合、リンクコネクションを高速化することができるＲＡＮスライスの予約リソースを用いることができる。
【００３１】
一実施形態では、基地局及び／又はＡＭＦエンティティは、ＲＡＮスライスを介したユーザー機器の通信のための通信リソース、特に、通信帯域幅、信号処理リソース及びメモリを提供するように構成される。
【００３２】
ＲＡＮスライスを介した通信のためにリソースを提供することにより、エンティティが、優先ＲＡＮスライスを提供するとともに、加えて、優先されていない他のユーザー機器のための共通ネットワーク動作を実行することが可能になる。
【００３３】
一実施形態では、アタッチ要求は、ユーザー優先度インジケーションを更に含む。ユーザー優先度インジケーションは、ユーザー機器に割り当てられた通信リソースを示す。基地局及び／又はＡＭＦは、ユーザー優先度インジケーションに従って、通信のためのＲＡＮスライスの通信リソース、特に、通信帯域幅、信号処理リソース及びメモリを割り当てるように構成される。
【００３４】
有効なＲＡＮスライスインジケーターを送信するユーザー機器は、ＲＡＮスライスへのアクセスを許可される。ユーザー優先度インジケーションを用いることは、有効なユーザー機器の優先度ヒエラルキーを提供する。
【００３５】
一実施形態では、アタッチ要求は、ユーザー機器識別情報、特に国際移動体加入識別子（ＩＭＳＩ：international mobile subscriber identity）を更に含む。ＡＭＦ及び／又は基地局は、ユーザー機器識別情報に割り当てられた通信のための通信リソース、特に、通信帯域幅、信号処理リソース及びメモリを割り当てるように構成される。
【００３６】
特定のユーザー機器をＲＡＮスライスへのアクセスを許可するように優先させることができる。特定のユーザー機器とは、例えば、所定の人物、特に、政治家、ボディーガード、消防士等の移動電話である。
【００３７】
一実施形態では、基地局及び／又はＡＭＦは、ＲＡＮスライスの外部に配置された共有データバンクからの通信リソースの送信を要求するように構成される。
【００３８】
基地局又はＡＭＦが追加のリソースを要求した場合、ＲＡＮスライスに向けて追加の送信リソースを分配することができる。これは、ＲＡＮスライスの自身のリソースが不足する場合に有用であり得る。
【００３９】
第２の態様によれば、目的は、無線アクセスネットワーク（ＲＡＮ）スライスを用いてユーザー機器に通信ネットワークへの無線アクセスを提供する通信方法によって解決される。ＲＡＮスライスは、ＲＡＮスライス識別子によって一意に識別され、ユーザー機器にＲＡＮスライスへのアクセスを提供する基地局を備える。ＲＡＮスライスは、ＲＡＮスライスを識別するＲＡＮスライス識別子をハンドリングするように構成されたアクセス及びモビリティ管理機能（ＡＭＦ）エンティティと、ＲＡＮスライスを介したユーザー機器のデータ通信をハンドリングするように構成されたセッション管理機能（ＳＭＦ）エンティティとを備える。通信方法は、
ＲＡＮスライスに接続するための、ユーザー機器からのアタッチ要求を受信することと、
アタッチ要求がＲＡＮスライス識別子を含まない場合、基地局によって、ＲＡＮスライスへのアクセスを拒否することと、
を含む。
【００４０】
以下の図面に対して、本発明の実施態様が説明される。
【図面の簡単な説明】
【００４１】
【図１】本発明の一実施形態による配置構成の概略図である。
【図２】図１の実施形態による方法の概略的なフローチャート図である。
【図３】本発明の別の実施形態による配置構成の概略図である。
【図４】図３の実施形態による方法の概略的なフローチャート図である。
【発明を実施するための形態】
【００４２】
以下の詳細な説明において、本開示の一部をなす添付図面に対して参照がなされ、図面において、図示によって、本発明を配置することができる特定の態様が示される。他の態様を利用することができ、本発明の範囲から逸脱することなく、構造上の変更又は論理的変更を行うことができることが理解される。したがって、本発明の範囲は添付の特許請求の範囲によって規定されるので、以下の詳細な説明は、限定の意味で解釈されるべきものではない。
【００４３】
例えば、説明される方法に関する本開示は、その方法を実行するように構成された対応するデバイス又はシステムについても成立することができ、その逆も然りであることが理解される。例えば、特定の方法ステップが説明される場合、対応するデバイスが、その説明される方法ステップを実行するユニットが明示的に説明されることも図面に示されることもない場合であっても、そのようなユニットを含むことができる。さらに、別段に指定されない限り、本明細書において説明される種々の例示の態様の特徴を互いに組み合わせることができることが理解される。
【００４４】
図１は、一実施形態による配置構成の概略図を示している。
【００４５】
この配置構成は、通信ネットワークのＲＡＮスライス１００を備える。ＲＡＮスライス１００は、優先ユーザー及びそのユーザー機器のためのリソースを予約する優先ＲＡＮスライスである。ＲＡＮスライス１００は、通信ネットワークへの優先アクセスを提供するように構成される。ＲＡＮスライス１００は、優先ユーザー機器のために予約される排他的なリソースを含む。ＲＡＮスライス１００のリソースは、基地局１０１、特に５ＧネットワークのｇＮｏｄｅＢと、アクセス及びモビリティ管理機能（ＡＭＦ）エンティティ１０３と、セッション管理機能（ＳＭＦ）エンティティ１０５とを備える。ＲＡＮスライス１００は、ユーザープレーン機能（ＵＰＦ）エンティティ１０４も備える。別の実施形態では、ＵＰＦは、ＲＡＮスライス１００の一部ではない。
【００４６】
基地局１０１は、信号、特に、制御信号及び／又はユーザーデータを含む信号を送受信するネットワークインターフェースを備える。基地局１０１は、プロセッサを備える。プロセッサは、受信信号を処理するとともに、送信すべき信号を生成するように構成される。ネットワークインターフェース及びプロセッサ（双方とも、わかりやすくするために図面には示されていない）は、プロセッサがネットワークインターフェースによって受信された信号を処理することができ、かつネットワークインターフェースがプロセッサによって生成された信号を送信することができるように、互いに機能的に通信する。
【００４７】
この配置構成は、ユーザー機器１０２を備える。ユーザー機器は、移動電話である。別の実施形態では、ユーザー機器１０２は、別のコンピューターシステム、特に、ノートブック、スマートウォッチ、タブレットコンピューター又はＩｏＴデバイスである。
【００４８】
ユーザー機器１０２は、通信ネットワークに接続するネットワークインターフェース（図示せず）を備える。ネットワークインターフェースは、ユーザー機器１０２をＲＡＮに接続する無線アクセスネットワーク（ＲＡＮ）インターフェースである。
【００４９】
ユーザー機器１０２は、優先ユーザー機器である。ユーザー機器１０２は、優先及び選好されたハンドリングを得る（特に、より高いデータレート、及び／又はより低いレイテンシー及び／又はより高いサービス品質を得ることを含む）ために、通信ネットワークのＲＡＮスライス１００にアクセスすることを許可される。ＲＡＮスライス１００に接続するために、ユーザー機器は、ユーザー機器１０２のメモリ、又は、ユーザー機器１０２がアクセスを有するオンラインメモリに記憶されたＲＡＮスライス識別子を有する。ユーザー機器１０２は、通信ネットワークに向けて、すなわち、基地局１０１にアタッチ要求信号を送信し、アタッチ要求にＲＡＮスライス識別子を含める。
【００５０】
基地局１０１は、ＲＡＮスライス識別子を求めて、基地局１０１のネットワークインターフェースによって受信されたアタッチ要求をチェックするように構成される。アタッチ要求内で特定されたＲＡＮスライス識別子がＲＡＮスライス１００に割り当てられたＲＡＮスライス識別子に対応しない場合、基地局１０１は、それぞれのユーザー機器のアタッチ要求を拒否するか、又は、単に、通常の方法で、すなわち、優先ＲＡＮスライス１００へのアクセスを提供することなく、通信ネットワークへのアクセスを提供する。
【００５１】
受信アタッチ要求内で送信されたＲＡＮスライス識別子が優先ＲＡＮスライス１００のＲＡＮスライス識別子に対応する場合、基地局１０１は、アタッチ要求が送信された元のユーザー機器１０２に対して、ＲＡＮスライス１００へのアクセスを許可する。
【００５２】
別の実施形態では、アタッチ要求信号は、付加的又は代替的に、ＲＡＮ識別子及びターゲットネットワーク識別子を含む。この実施形態では、基地局１０１は、ＲＡＮ識別子及びターゲットネットワーク識別子をチェックし、ＲＡＮ識別子及びターゲットネットワーク識別子がＲＡＮスライス１００に関係付けられたそれぞれの識別子に対応する場合、これらの識別子を、ＡＭＦエンティティ１０３に向けて、ＲＡＮスライス１００へのアクセスを許可するために転送する。ＡＭＦエンティティ１０３は、ＲＡＮ識別子及びターゲットネットワーク識別子がＲＡＮスライス１００に関係付けられたそれぞれの識別子に対応しない場合、基地局１０１に拒否制御信号を送信する。
【００５３】
ＲＡＮスライス１００は、ユーザー機器１０２から、通信ネットワーク、特にターゲットネットワークスライスに向けられた通信をルーティングするルーター（図示せず）を備える。別の実施形態では、ＲＡＮスライス１００は、このルーターを備えず、それぞれの通信手順自体を管理する。
【００５４】
基地局１０１は、ユーザー機器１０２の識別情報、特にＩＭＳＩをチェックするとともに、ユーザー機器１０２のこの識別情報がＲＡＮスライス１００に関係付けられたメモリ、特にデータベースにデポジットされた場合、ユーザー機器１０２にＲＡＮスライス１００の排他的なリソースを提供するように構成される。したがって、ＲＡＮスライス１００は、特定のユーザー機器１０２に対して実行される通信のためのみに予約される、このユーザー機器１０２用の排他的なリソースを提供する。別の実施形態では、ユーザー機器１０２の識別情報に関係付けられたリソースの制御は、付加的又は代替的にＡＭＦエンティティ１０３によって実行される。
【００５５】
付加的には、基地局１０１及び／又はＡＭＦエンティティ１０３は、ＲＡＮスライス１００のみに関係付けられているのではない共有リソース、特に、共有データベースへのアクセスを有する。基地局１０１又はＡＭＦエンティティ１０３は、それぞれ、共有リソースからＲＡＮスライス１００への通信リソースの送信を要求するように構成される。
【００５６】
図２は、図１に記載された実施形態による方法の概略的なフローチャート図２００を示している。ステップ２０１において、通信ネットワークに接続するためのアタッチ要求が、基地局１０１によって受信される。この要求は、アタッチ要求信号を、通信ネットワークに向けて、したがって、基地局１０１に向けて送信することによって、ユーザー機器１０２によって以前に送信されたものである。
【００５７】
ステップ２０２において、基地局１０１のプロセッサは、スライス識別子を求めてアタッチ要求をチェックする。
【００５８】
送信されたアタッチ要求のスライス識別子がＲＡＮスライス１００のＲＡＮスライス識別子に対応する場合、ステップ２０３において、基地局１０１は、ユーザー機器１０２に対して、ＲＡＮスライス１００へのアクセスを許可する。
【００５９】
基地局１０１は、ユーザー機器１０２のための通信セッションを生成するようにＡＭＦエンティティ１０３を制御する。この通信セッションは、ＲＡＮスライス１００の排他的なリソースの利益を得るとともに、ユーザー機器１０２に、優先通信、特に、通常の通信セッションに対して高いデータレート、及び／又は低いレイテンシー及び／又は高いサービス品質に関係付けられた通信を提供する。
【００６０】
ステップ２０２において基地局１０１が、送信スライス識別子がＲＡＮスライス１００のＲＡＮスライス識別子であると特定しない場合、基地局１０１は、ユーザー機器１０２に対して、ＲＡＮスライス１００へのアクセスを許可しない。基地局１０１は、ＲＡＮスライス１００へのアクセスを拒否する。この事例では、基地局は、このアタッチ要求を別の基地局にハンドオーバーすることもできるし、別のＲＡＮスライスへのアクセスを提供することもできる。
【００６１】
図３は、別の実施形態による配置構成３００の概略図を示している。
【００６２】
配置構成３００は、ユーザー機器１０２と、別の基地局１０６とを備える。配置構成３００は、基地局１０１と、ＡＭＦ１０３と、ＵＰＦ１０４と、ＳＭＦ１０５とを備えるＲＡＮスライス１００を更に備える。別の実施形態では、ＵＰＦ１０４は、ＲＡＮスライス１００の一部ではない。
【００６３】
この実施形態におけるＲＡＮスライス１００の基地局１０１は、ＲＡＮスライス１００のみに関係付けられた排他的な基地局である。別の実施形態では、基地局１０１は、通信ネットワークの他の部分、特に、優先ＲＡＮスライス１００とは異なる他のＲＡＮスライスへのアクセスも許可する。
【００６４】
他の基地局１０６は、ＲＡＮスライス１００の一部ではなく、したがって、ＲＡＮスライス１００へのアクセスを直接提供することができない。他の基地局１０６は、ＲＡＮスライス識別子を求めてアタッチ要求をチェックするように構成される。他の基地局１０６が、アタッチ要求信号内でＲＡＮスライス１００のＲＡＮスライス識別子を検出した場合、他の基地局１０６は、このアタッチ要求を、ＲＡＮスライス１００の基地局１０１に向けて転送する。
【００６５】
アタッチ要求をＲＡＮスライス１００の基地局１０１にハンドオーバーした後、ＲＡＮスライス１００の基地局１０１は、上記で説明された方法で、ユーザー機器１０２のＲＡＮスライス１００への接続を実行する。基地局１０１は、ＲＡＮスライス１００へのアクセスを許可することができるＡＭＦエンティティ１０３に、アタッチ要求を転送することができる。
【００６６】
別の実施形態では、アタッチ要求信号は、ＲＡＮ識別子及びターゲットネットワーク識別子を含む。この実施形態では、基地局１０１は、ＲＡＮ識別子及びターゲットネットワーク識別子をチェックし、ＲＡＮ識別子及びターゲットネットワーク識別子がＲＡＮスライス１００に関係付けられたそれぞれの識別子に対応する場合、これらの識別子を、ＡＭＦエンティティ１０３に向けて、ＲＡＮスライス１００へのアクセスを許可するために転送する。
【００６７】
ＲＡＮスライス１００は、ユーザー機器１０２から、通信ネットワーク、特にターゲットネットワークスライスに向けられた通信をルーティングするルーター（図示せず）を備える。別の実施形態では、ＲＡＮスライス１００は、このルーターを備えず、それぞれの通信手順自体を管理する。
【００６８】
基地局１０１は、ユーザー機器１０２の識別情報、特にＩＭＳＩをチェックするとともに、ユーザー機器１０２のこの識別情報がＲＡＮスライス１００に関係付けられたメモリ、特にデータベースにデポジットされた場合、ユーザー機器１０２にＲＡＮスライス１００の排他的なリソースを提供するように構成される。したがって、ＲＡＮスライス１００は、特定のユーザー機器１０２に対して実行される通信のためのみに予約される、このユーザー機器１０２用の排他的なリソースを提供する。別の実施形態では、ユーザー機器１０２の識別情報に関係付けられたリソースの制御は、付加的又は代替的にＡＭＦエンティティ１０３によって実行される。
【００６９】
付加的には、基地局１０１及び／又はＡＭＦエンティティ１０３は、ＲＡＮスライス１００のみに関係付けられているのではない共有リソース、特に、共有データベースへのアクセスを有する。基地局１０１又はＡＭＦエンティティ１０３は、それぞれ、共有リソースからＲＡＮスライス１００への通信リソースの送信を要求するように構成される。
【００７０】
図４は、図３に記載された実施形態による方法の概略的なフローチャート図４００を示している。
【００７１】
ステップ４０１において、通信ネットワークに接続するためのアタッチ要求が、他の基地局１０６によって受信される。他の基地局１０６は、ＲＡＮスライス１００へのアクセスを許可するように構成されていない。
【００７２】
ステップ４０２において、他の基地局１０６は、アタッチ要求のスライス識別子をチェックする。
【００７３】
他の基地局１０６が、送信スライス識別子がＲＡＮスライス１００のＲＡＮスライス識別子に対応すると判断した場合、ステップ４０１においてアタッチ要求信号を受信する他の基地局１０１は、ユーザー機器１０２のための優先セッションを作成するように構成されていない。したがって、ステップ４０１において制御信号を受信した他の基地局１０６は、ユーザー機器１０２が、ＲＡＮスライス１００のＲＡＮスライス識別子に対応するスライス識別子を含むアタッチ要求を送信したと判断した後、ステップ４０３において、アタッチ要求を基地局１０１にハンドオーバーする。
【００７４】
ステップ４０４において、基地局１０１は、上記で記載された方法で、ユーザー機器１０２に対して、通信ネットワークのＲＡＮスライス１００への優先アクセスを提供する。
【符号の説明】
【００７５】
１００  ＲＡＮスライス
１０１  基地局
１０２  ユーザー機器
１０３  ＡＭＦエンティティ
１０４  ＵＰＦエンティティ
１０５  ＳＭＦエンティティ
１０６  他の基地局
２００、４００  フローチャート図
３００  配置構成
２０１〜２０３  ステップ
４０１〜４０４  ステップ
【図１】
2021507635.tif 000003
【図２】
2021507635.tif 000004
【図３】
2021507635.tif 000005
【図４】
2021507635.tif 000006
【国際調査報告】
2021507635.tif 000007
2021507635.tif 000008
2021507635.tif 000009